(57)【要約】【課題】端末側にドライバソフトウェアやアプリケーションソフトウェアが存在しなくても、容易に印刷出力可能とする技術を提供することを課題とする。【解決手段】ＰＣ１のモニタ１５には、ネットワーク上のファイル一覧がブラウジングされる。ユーザが、ＰＣ２の共有フォルダに格納されているファイルＡを選択すると、ファイルＡがＷＳ４の印刷ファイル記憶部４４に格納される。ＷＳ４には、デジタル複合機３が備えるプリンタ部３７に対応したプリンタドライバ１０４がインストールされている。ＷＳ４では、プリンタドライバ１０４が、ファイルＡを印刷データに変換してデジタル複合機３に対して印刷出力する。【選択図】図１
2007310810.tif 000002
【特許請求の範囲】
【請求項１】
端末とプリンタと処理装置とを備えるシステムであって、
前記端末は、
印刷対象ファイルを指定して前記プリンタに通知する通知手段、
を備え、
前記プリンタは、
前記通知手段により通知された前記印刷対象ファイルを前記処理装置が備える記憶部に格納する手段、
を備え、
前記処理装置には前記プリンタに対応したプリンタドライバが格納されており、前記処理装置は前記プリンタドライバを実行して前記記憶部に格納された前記印刷対象ファイルを前記プリンタに対して印刷出力することを特徴とする印刷システム。
【請求項２】
プリンタと処理装置とを備えるシステムであって、
前記プリンタは、
印刷対象ファイルを指定する手段と、
前記印刷対象ファイルを前記処理装置が備える記憶部に格納する手段と、
を備え、
前記処理装置には前記プリンタに対応したプリンタドライバが格納されており、前記処理装置は前記プリンタドライバを実行して前記記憶部に格納された前記印刷対象ファイルを前記プリンタに対して印刷出力することを特徴とする印刷システム。
【請求項３】
請求項１または請求項２に記載の印刷システムにおいて、
前記プリンタが、前記処理装置を含むことを特徴とする印刷システム。
【請求項４】
対応するプリンタドライバにより生成された印刷データを印刷出力するプリンタであって、
ネットワークを介して接続された端末から印刷対象ファイルの指定通知を受ける手段と、
ネットワークを介して接続された処理装置が備える記憶部に前記印刷対象ファイルを格納する手段と、
を備え、
前記処理装置には前記プリンタドライバが格納されており、前記記憶部に格納された前記印刷対象ファイルが前記処理装置によって前記プリンタに対して印刷出力されることを特徴とするプリンタ。
【請求項５】
対応するプリンタドライバにより生成された印刷データを印刷出力するプリンタであって、
印刷対象ファイルを指定する手段と、
ネットワークを介して接続された処理装置が備える記憶部に前記印刷対象ファイルを格納する手段と、
を備え、
前記処理装置には前記プリンタドライバが格納されており、前記記憶部に格納された前記印刷対象ファイルが前記処理装置によって前記プリンタに対して印刷出力されることを特徴とするプリンタ。
【請求項６】
請求項４または請求項５に記載のプリンタにおいて、
前記プリンタが、前記処理装置を含むことを特徴とするプリンタ。
【発明の詳細な説明】
【技術分野】
【０００１】
本発明は、ネットワークを利用した印刷技術に関する。
【背景技術】
【０００２】
パソコンとプリンタをＬＡＮで接続し、パソコンに保存されている文書ファイルをネットワーク経由で印刷実行することが可能である。たとえば、ユーザは、パソコンでワープロソフトを起動し、ドキュメントの編集作業を行う。そして、ドキュメントが完成したところで、ワープロソフトのメニューから印刷機能を実行するのである。
【０００３】
具体的には、ワープロソフトがプリンタドライバを呼び出して実行することで、プリンタドライバのユーザインタフェースがモニタに表示される。ユーザは、このユーザインタフェースを利用し、印刷部数、印刷ページ、印刷形式などを設定した上で、印刷指示を行うのである。これにより、パソコンからプリンタに印刷指示が送信され、プリンタが指定されたファイルの印刷を実行するのである。
【０００４】
【特許文献１】特開２００５−２４２７８１号公報
【発明の開示】
【発明が解決しようとする課題】
【０００５】
しかし、パソコンからネットワーク経由で印刷処理を実行するためには、各パソコンにネットワーク経由で印刷処理を実行するためのドライバソフトウェアがインストールされていなければならない。また、あるソフトメーカのワープロソフトで作成したドキュメントを印刷処理するためには、そのワープロソフトがパソコンにインストールされている必要がある。同様に、あらゆる種類のデータファイルを印刷処理するためには、対応するアプリケーションプログラムがインストールされている必要がある。
【０００６】
上記特許文献１では、ＨｏｔＦｏｌｄｅｒに格納されているポストスクリプトファイルやＰＤＦファイルをそのままカラー複写機に転送して印刷するようにしている。この技術によれば、ポストスクリプトファイルやＰＤＦファイルに関しては、ファイルをＨｏｔＦｏｌｄｅｒにコピーする処理さえ行えば印刷処理を実行させることが可能である。しかし、印刷対象となるファイルをポストスクリプトファイルやＰＤＦファイルに変換する必要がある。
【０００７】
そこで、本発明は前記問題点に鑑み、端末側にドライバソフトウェアやアプリケーションソフトウェアが存在しなくても、容易に印刷処理を実行可能とする技術を提供することを目的とする。
【課題を解決するための手段】
【０００８】
上記課題を解決するため、請求項１記載の発明は、端末とプリンタと処理装置とを備えるシステムであって、前記端末は、印刷対象ファイルを指定して前記プリンタに通知する通知手段、を備え、前記プリンタは、前記通知手段により通知された前記印刷対象ファイルを前記処理装置が備える記憶部に格納する手段、を備え、前記処理装置には前記プリンタに対応したプリンタドライバが格納されており、前記処理装置は前記プリンタドライバを実行して前記記憶部に格納された前記印刷対象ファイルを前記プリンタに対して印刷出力することを特徴とする。
【０００９】
請求項２記載の発明は、プリンタと処理装置とを備えるシステムであって、前記プリンタは、印刷対象ファイルを指定する手段と、前記印刷対象ファイルを前記処理装置が備える記憶部に格納する手段と、を備え、前記処理装置には前記プリンタに対応したプリンタドライバが格納されており、前記処理装置は前記プリンタドライバを実行して前記記憶部に格納された前記印刷対象ファイルを前記プリンタに対して印刷出力することを特徴とする。
【００１０】
請求項３記載の発明は、請求項１または請求項２に記載の印刷システムにおいて、前記プリンタが、前記処理装置を含むことを特徴とする。
【００１１】
請求項４記載の発明は、対応するプリンタドライバにより生成された印刷データを印刷出力するプリンタであって、ネットワークを介して接続された端末から印刷対象ファイルの指定通知を受ける手段と、ネットワークを介して接続された処理装置が備える記憶部に前記印刷対象ファイルを格納する手段と、を備え、前記処理装置には前記プリンタドライバが格納されており、前記記憶部に格納された前記印刷対象ファイルが前記処理装置によって前記プリンタに対して印刷出力されることを特徴とする。
【００１２】
請求項５記載の発明は、対応するプリンタドライバにより生成された印刷データを印刷出力するプリンタであって、印刷対象ファイルを指定する手段と、ネットワークを介して接続された処理装置が備える記憶部に前記印刷対象ファイルを格納する手段と、を備え、前記処理装置には前記プリンタドライバが格納されており、前記記憶部に格納された前記印刷対象ファイルが前記処理装置によって前記プリンタに対して印刷出力されることを特徴とする。
【００１３】
請求項６記載の発明は、請求項４または請求項５に記載のプリンタにおいて、前記プリンタが、前記処理装置を含むことを特徴とする。
【発明の効果】
【００１４】
本発明のプリンタシステムは、端末で指定された印刷対象ファイルを処理装置の記憶部に格納すれば、プリンタドライバがインストールされている処理装置により印刷処理が実行される。これにより、印刷処理を指示する端末や、印刷対象ファイルが格納されている端末にプリンタドライバソフトウェアがインストールされている必要はない。あるいは、印刷対象ファイルを実行するためのアプリケーションプログラムがインストールされている必要はない。これにより、オフィスなどのネットワークでプログラムのインストール作業負担を軽減させることが可能である。ユーザは、ドライバソフトウェアやアプリケーションプログラムの存在を意識することなく印刷処理を実行することが可能である。
【００１５】
また、本発明のプリンタにおいて印刷対象ファイルを指定した場合にも、印刷対象ファイルが処理装置の記憶部に格納され、プリンタドライバがインストールされている処理装置により印刷処理が実行される。この場合であっても、ユーザは、ドライバソフトウェアやアプリケーションプログラムの存在を意識することなく印刷処理を実行することが可能である。
【発明を実施するための最良の形態】
【００１６】
｛第１の実施の形態｝
以下、図面を参照しつつ本発明の実施の形態について説明する。図１は、実施の形態に係る印刷システムの全体図である。このシステムは、パーソナルコンピュータ（以下、ＰＣと略す。）１，２と、デジタル複合機３と、ワークステーション（以下、ＷＳと略す。）４と、これら装置を接続するＬＡＮ（Local Area Network）５などから構成される。このようなシステムがたとえば会社のオフィスに設置され、社員がＰＣ１，２やデジタル複合機３、ＷＳ４を利用して業務を行う。
【００１７】
ＰＣ１は、ＣＰＵ、ＲＡＭなどを備えＰＣ１の全体制御を行う制御部１１と、ハードディスク１２と、ＬＡＮ５を介して他のコンピュータ、装置との間でデータの送受信を行う通信部１３と、キーボード、マウス等からなる操作部１４と、モニタ１５とを備えている。また、ハードディスク１２には、クライアントプログラム１０１が格納されている。ＰＣ２も、同様に、制御部２１、ハードディスク２２、通信部２３を備えている。
【００１８】
デジタル複合機３は、ファックス機能、コピー機能、プリンタ機能、スキャナ機能などを備えるとともに、ネットワーク機能を備えている。したがって、ＬＡＮ５に接続されたＰＣ１，２は、ＬＡＮ経由で、デジタル複合機３の各種の機能を利用可能である。このように、オフィス内で働く社員は、ＰＣ１，２を利用してＬＡＮ経由でデジタル複合機３を利用したり、実際にデジタル複合機３の場所へ移動して、コピー操作などを行ったりすることで、１台のデジタル複合機３を複数の社員で共用しているのである。
【００１９】
デジタル複合機３は、ＣＰＵ、ＲＡＭなどを備えデジタル複合機３の全体制御を行う制御部３１と、プログラムメモリ３２と、ＬＡＮ５を介して他のコンピュータとの間でデータの送受信を行う通信部３３と、操作部３４と、モニタ３５とを備えている。本実施の形態においては、操作部３４とモニタ３５とはタッチパネル式ディスプレイ３６で構成されている。プログラムメモリ３２には、サーバプログラム１０２が格納されている。また、デジタル複合機３は、プリンタ部３７と、印刷ファイル一時記憶部３８とを備えている。印刷ファイル一時記憶部３８は、たとえばフラッシュメモリなどの記憶媒体に作成されたフォルダである。
【００２０】
ＷＳ４は、ＰＣサーバやＵＮＩＸ（登録商標）サーバなどのサーバである。ＷＳ４は、ＣＰＵ，ＲＡＭなどを備えＷＳ４の全体制御を行う制御部４１と、ハードディスク４２と、ＬＡＮ５を介して他のコンピュータや装置との間でデータの送受信を行う通信部４３と、印刷ファイル記憶部４４とを備えている。印刷ファイル記憶部４４は、たとえばハードディスクなどの記憶媒体に作成されたフォルダである。
【００２１】
このようなシステム構成のもと、ＰＣ１を操作するユーザによって印刷指示が行われる。印刷指示を行うために、ユーザは、ＰＣ１にインストールされているクライアントプログラム１０１と、デジタル複合機３にインストールされているサーバプログラム１０２を利用する。本実施の形態においては、サーバプログラム１０２は、ＷＥＢサーバとＷＥＢコンテンツ（ＨＴＭＬファイルや各種プログラム）により構成され、クライアントプログラム１０１がＷＥＢブラウザにより構成されている。また、印刷処理には、ＷＳ４にインストールされているエージェントプログラム１０３とプリンタドライバ１０４が利用される。
【００２２】
それぞれのプログラムの機能について説明する。まず、クライアントプログラム１０１とサーバプログラム１０２からなるＷＥＢアプリケーションは、ＰＣ１のモニタ１５に印刷対象となるファイルを指定させるためのユーザインタフェースを表示させる。そして、ユーザによって指定されたファイルを印刷ファイル一時記憶部３８にコピーする処理を実行する。さらに、ＷＥＢアプリケーションは、印刷ファイル一時記憶部３８に格納されたファイルをＷＳ４の印刷ファイル記憶部４４にコピーする処理を実行する。
【００２３】
エージェントプログラム１０３は、常駐プログラムであり、印刷ファイル記憶部４４を監視している。そして、印刷ファイル記憶部４４にファイルが格納されると、プリンタドライバ１０４を起動する。プリンタドライバ１０４は、印刷ファイル記憶部４４に格納されているファイルをデジタル複合機３に対して印刷出力する。
【００２４】
次に、図２、図３のフローチャートを参照しながら、印刷処理の流れについて説明する。図２は、デジタル複合機３における処理の流れを示す図である。まず、デジタル複合機３は、ＷＥＢ画面から印刷ファイルを指定するためのファイル一覧の表示指示を受け付ける（ステップＳ１１）。このステップについて説明する。ＰＣ１を操作するユーザが、クライアントプログラム１０１（ＷＥＢブラウザ）を起動し、デジタル複合機３のサーバプログラム１０２（ＷＥＢサーバ）にアクセスする。これにより、ＰＣ１のモニタ１５には、ユーザインタフェースが表示される。たとえば、初期画面としてメニュー画面がモニタ１５に表示される。そして、メニュー画面において、ユーザによりファイルの一覧表示指示が行われるのである。
【００２５】
ユーザにより、ファイルの一覧表示指示が行われると（ステップＳ１１でＹＥＳ）、サーバプログラム１０２は、ＳＭＢ（Server Message Block）を利用してネットワーク上のドメインやコンピュータを検索して、その共有フォルダ下のファイルをモニタ１５に表示するのである（ステップＳ１２）。
【００２６】
具体的には、まず、初期画面としては、図４に示すようなドメイン選択画面２１０がモニタ１５に表示される。ここでは、例としてＡＲＥＡ１〜３の３つのドメインが表示されている。ここで、ユーザは、マウス操作により１つのドメインをクリックする。これにより、図５に示すようなコンピュータ選択画面２２０が表示される。この画面には、ドメイン選択画面２１０において選択されたドメインに含まれるコンピュータが一覧表示される。ここでは、例としてＣＯＭＰＵＴＥＲ０１〜０３の３つのコンピュータが表示されている。ここで、ユーザは、マウス操作により１つのコンピュータをクリックする。これにより、図６に示すようなファイル選択画面２３０が表示される。この画面には、コンピュータ選択画面２２０において選択されたコンピュータの中のネットワーク共有ファイルが一覧表示される。ここでは、５つの種類のデータファイルが表示されている。このようにして、ＰＣ１と通信可能なコンピュータがネットワーク共有しているファイルを印刷対象ファイルとして選択することが可能となる。もちろん、この画面遷移を利用してＰＣ１が格納しているローカルファイルを選択することも可能である。
【００２７】
なお、図４〜図６の画面には、ユーザ名およびパスワード入力フォームが表示されているが、ドメインに対するアクセス制御、コンピュータに対するアクセス制御、ファイルに対するアクセス制御を行うためには、パスワードを設定しておくようにすればよい。
【００２８】
ユーザは、図６に示すユーザインタフェースを参照し、印刷出力したいファイルを選択する。そして、「印刷」ボタンを選択するのである。サーバプログラム１０２は、この印刷対象ファイルの選択および印刷実行指示を受け付けると（ステップＳ１３）、選択されたファイルをデジタル複合機３の印刷ファイル一時記憶部３８にコピーする（ステップＳ１４）。さらに、サーバプログラム１０２は、そのファイルをＷＳ４の印刷ファイル記憶部４４にコピーする（ステップＳ１４）。
【００２９】
ここでは、ＰＣ１を操作するユーザが、図４〜図６で示すような画面に従って操作し、ＰＣ２のハードディスク２２に格納されているファイルＡを印刷対象のファイルとして選択したものとする。サーバプログラム１０２は、ユーザによって選択されたＰＣ２に格納されたファイルＡを図１に示すように、デジタル複合機３内の印刷ファイル一時記憶部３８にコピーし、さらに、このファイルＡをＷＳ４の印刷ファイル記憶部４４にコピーするのである。ここで、ファイルＡは、たとえばワープロソフトの文書ファイルや、表計算ソフトのデータファイルなどである。つまり、ポストスクリプトファイルなどのページ記述言語で生成されたデータ（印刷用に変換したようなデータ）ではなく、アプリケーションソフトウェアによって実行（開く）ことのできるファイルをそのまま印刷ファイル記憶部４４にコピーするのである。
【００３０】
このように、本実施の形態の印刷システムは、印刷出力を行おうとするユーザは、図４〜図６で示すような画面遷移に従いＳＭＢブラウジングされたファイルを印刷対象ファイルとして選択する。つまり、ユーザが操作しているＰＣ１に格納されたファイルはもちろんのこと、ネットワークで接続された他のＰＣ２に格納されているファイルを印刷対象ファイルとして選択することが可能である。
【００３１】
ここで、図３のフローチャートに移る。図３は、ＷＳ４における印刷処理のフローチャートである。上述したように、ＷＳ４ではエージェントプログラム１０３が常駐プログラムとして動作している。エージェントプログラム１０３は、監視フォルダにファイルが格納されたかどうかを常時監視している（ステップＳ２１）。具体的には、エージェントプログラム１０３は、所定間隔で印刷ファイル記憶部４４を参照し、ファイルが格納されているかどうかを確認する。
【００３２】
図２のステップＳ１５において、デジタル複合機３が印刷ファイル記憶部４４にファイルＡをコピーすると、エージェントプログラム１０３がファイルＡの存在を確認し（ステップＳ２１でＹＥＳ）、プリンタドライバ１０４を起動する。これにより、プリンタドライバ１０４が、ファイルＡを印刷出力するのである（ステップＳ２２）。
【００３３】
具体的には、プリンタドライバ１０４は、ファイルＡを、プリンタ部３７に対応したプリンタ記述言語で記述された印刷データに変換し、この印刷データをデジタル複合機３に送信するのである。つまり、プリンタドライバ１０４は、プリンタ部３７に対応したドライバソフトである。言い換えると、プリンタとして機能するデジタル複合機３に対応したプリンタドライバである。また、プリンタドライバ１０４は、各種のアプリケーションソフトウェアに対応したドライバを含んでいる。たとえば、プリンタドライバ１０４は、ワープロソフトの文書ファイルや表計算ソフトのデータファイルなどをプリンタ部３７に対応した印刷データに変換することが可能である。
【００３４】
このように、本実施の形態においては、各種フォーマットのファイルを印刷出力する処理がＷＳ４において実行される。言い換えると、印刷指示を行っているコンピュータ（この実施例であればＰＣ１）や、印刷対象ファイルが格納されているコンピュータ（この実施例であればＰＣ２）に、プリンタドライバがインストールされていなくても印刷処理が実行されるのである。さらには、印刷指示を行っているコンピュータや印刷対象ファイルが格納されているコンピュータには、印刷対象ファイルを実行する（開く）ためのアプリケーションプログラムさえもインストールされている必要はない。印刷対象となるファイルは、図４〜図６で示したユーザインタフェースにおいてブラウジングされることができれば、サーバプログラム１０２によりＷＳ４に転送され、印刷出力されるのである。
【００３５】
このようにして、ＰＣ１を操作するユーザは、ファイルを選択する操作を行うだけで印刷出力を行うことができる。従来であれば、ドキュメントファイルを印刷するためには、当該ファイルをワープロソフトウェアで開き、さらに印刷処理などを実行することで、プリンタドライバを呼び出すようにしていた。本実施の形態によれば、印刷指示するコンピュータには、印刷対象ファイルを実行する（開く）ためのソフトウェアやプリンタドライバがインストールされている必要はない。また、印刷対象ファイルが格納されているコンピュータにも、アプリケーションプログラムやプリンタドライバが格納されている必要はない。したがって、アプリケーションプログラムやプリンタドライバの存在を気にすることなく、ネットワーク上に存在するファイルを自由に選択して印刷出力することが可能である。
【００３６】
言い換えると、各種データファイルに対応したプリンタドライバをＷＳ４にのみ格納しておけば、その他のコンピュータには、プリンタドライバをインストールしておく必要はない。したがって、オフィス内などにおいて、ソフトウェアのインストール作業を最小限に留めることが可能である。
【００３７】
｛第２の実施の形態｝
次に、本発明の第２の実施の形態について説明する。第２の実施の形態についても、各コンピュータやネットワークの構成は図１と同様である。第１の実施の形態においては、印刷指示をＰＣ１から行ったが、第２の実施の形態においては、デジタル複合機３の操作パネル（タッチパネル式ディスプレイ３６）を利用して印刷指示を行う。
【００３８】
したがって、第１の実施の形態においては、印刷処理を制御するプログラムは、ＰＣ１にインストールされたクライアントプログラム１０１（ＷＥＢブラウザ）と、デジタル複合機３にインストールされたサーバプログラム１０２（ＷＥＢサーバとＷＥＢコンテンツ）とから構成されていたが、第２の実施の形態においては、サーバプログラム１０２が単独で印刷制御を行う。
【００３９】
ユーザが、デジタル複合機３のタッチパネル式ディスプレイ３６に手を触れると、初期メニュー画面が表示される。そこで、ユーザが所定の操作を行うと、サーバプログラム１０２により、図７に示すようなメニュー画面３１０がタッチパネル式ディスプレイに表示される。ここで、ユーザが、フォルダボタンを選択すると、図８に示すようなドメイン選択画面３２０が表示される。ドメイン選択画面３２０においてユーザがドメインを選択する操作を行うと、図９に示すコンピュータ選択画面３３０が表示され、さらに、ユーザがコンピュータを選択する操作を行うと、図１０に示すファイル選択画面３４０が表示され、選択されたコンピュータ内の共有ファイルが一覧表示される。これら処理の流れは、第１の実施の形態における図４〜図６において説明したものと同様である。ただし、これら選択画面がクライアント端末に表示されるのではなく、デジタル複合機３のタッチパネル式ディスプレイ３６に表示されるのである。
【００４０】
ユーザがファイル選択画面３４０において印刷対象ファイルを選択し、「印刷」ボタンを選択した後の処理は第１の実施の形態と同様である。ユーザがＰＣ２に格納されているファイルＡを選択したのであれば、サーバプログラム１０２は、ファイルＡをＷＳ４の印刷ファイル記憶部４４にコピーする。ＷＳ４では、プリンタドライバ１０４がファイルＡを印刷データに変換し、デジタル複合機３に対して印刷出力するのである。
【００４１】
本実施の形態においても、印刷出力したいファイルが格納されているコンピュータにはプリンタドライバがインストールされている必要はない。また、印刷対象のファイルを実行するためのアプリケーションプログラムが、そのファイルが格納されているコンピュータにインストールされている必要はない。ユーザは、ネットワーク上にあるファイルを選択する操作を行うだけで、印刷処理を実行することが可能である。
【００４２】
｛変形例｝
本発明は次のようなシステム構成とすることも可能である。第１および第２の実施の形態については、デジタル複合機３が印刷対象のファイルをＷＳ４にコピーし、ＷＳ４においてプリンタドライバ１０４を実行してデジタル複合機３に対して印刷処理を実行するようにした。これとは異なり、このＷＳ４の機能をデジタル複合機３が備えるような構成としてもよい。つまり、デジタル複合機３にエージェントプログラム１０３とプリンタドライバ１０４を動作させ、デジタル複合機３において印刷処理を実行するようにしてもよい。
【００４３】
第１の実施の形態においてデジタル複合機３にＷＳ４の機能を持たせるようにした場合であっても、印刷指示を行うＰＣ１や、印刷対象ファイルが格納されていたＰＣ２には、アプリケーションプログラムやプリンタドライバがインストールされている必要はない。ユーザは、ローカルあるいはネットワーク上に存在するファイルを選択する操作を行うだけでよい。第２の実施の形態においてデジタル複合機３にＷＳ４の機能を持たせるようにした場合であっても、印刷対象ファイルが格納されていたＰＣ２には、アプリケーションプログラムやプリンタドライバがインストールされている必要はない。ユーザは、ローカルあるいはネットワーク上に存在するファイルを選択する操作を行うだけでよい。
【００４４】
また、上記の実施の形態においては、エージェントプログラム１０３とプリンタドライバ１０４が別のプログラムである場合を例に説明したが、プリンタドライバ１０４がエージェントプログラム１０３の機能を備えていても良い。つまり、ＷＳ４で動作しているプリンタドライバ１０４が印刷ファイル記憶部４４を監視し、ファイルが書き込まれたことを検知すると、印刷処理を実行するのである。
【図面の簡単な説明】
【００４５】
【図１】本実施の形態に係る印刷システムの全体図である。
【図２】デジタル複合機における印刷処理のフローチャートである。
【図３】ＷＳにおける印刷処理のフローチャートである。
【図４】ＰＣに表示されるドメイン選択画面を示す図である。
【図５】ＰＣに表示されるコンピュータ選択画面を示す図である。
【図６】ＰＣに表示されるファイル選択画面を示す図である。
【図７】デジタル複合機の操作パネルに表示されるメニュー画面を示す図である。
【図８】操作パネルに表示されるドメイン選択画面を示す図である。
【図９】操作パネルに表示されるコンピュータ選択画面を示す図である。
【図１０】操作パネルに表示されるファイル選択画面を示す図である。
【符号の説明】
【００４６】
１，２    ＰＣ
３        デジタル複合機
４        ＷＳ
５        ＬＡＮ
４４      印刷ファイル記憶部
１０１    クライアントプログラム（ＷＥＢブラウザ）
１０２    サーバプログラム（ＷＥＢサーバ）
【図１】
2007310810.tif 000003
【図２】
2007310810.tif 000004
【図３】
2007310810.tif 000005
【図４】
2007310810.tif 000006
【図５】
2007310810.tif 000007
【図６】
2007310810.tif 000008
【図７】
2007310810.tif 000009
【図８】
2007310810.tif 000010
【図９】
2007310810.tif 000011
【図１０】
2007310810.tif 000012